(57)【要約】  第１の時間にて、同期要求信号が、アクセスゲートウェイから各基地局に送信される。第２の時間にて、各基地局は、同期要求信号を受信する。第３の時間において、各基地局は、同期応答信号をアクセスゲートウェイに送信する。同期応答信号は、第２および第３の時間を含む。第４の時間にて、アクセスゲートウェイは、同期応答信号を受信する。第１、第２、第３および第４の時間に基づき、アクセスゲートウェイの時間システムと各基地局の時間システム間のマッピング関係が、各基地局に対して計算される。上記を使用して、ＬＴＥにおけるＭＢＭＳデータパケットを伝送するとき、アクセスゲートウェイおよび基地局が、経路遅延および迷路誤りのために正確に同期されえないという問題が、回避される。また、利用者装置側が、正確にＲＦ合成を実行できるように、各基地局は、ＭＢＭＳデータに対する同一の下り方向送信時間を決定することができる。
2010502057.tif 000002
【特許請求の範囲】
【請求項１】
ゲートウェイと基地局間の同期を実行するための方法であって、
時間Ｔ１において、ゲートウェイから基地局に同期要求信号を送信するステップと、
時間Ｔ２において、基地局により同期要求信号を受信するステップと、
時間Ｔ３において、基地局からゲートウェイに時間Ｔ２およびＴ３を含む同期応答を送信するステップと、
時間Ｔ４において、ゲートウェイにより同期応答信号を受信するステップと、
時間Ｔ１、Ｔ２、Ｔ３およびＴ４に基づいて計算される、ゲートウェイの時間システムと基地局の時間システム間のマッピング関係を基地局に対して計算するステップと、
を含む方法。
【請求項２】
ゲートウェイから基地局にマッピング関係を含む情報を送信するステップ
をさらに含む、請求項１に記載の方法。
【請求項３】
情報を受信した後、基地局からゲートウェイにＡＣＫ信号を送信するステップ
をさらに含む、請求項２に記載の方法。
【請求項４】
ゲートウェイと基地局間の伝送遅延を時間Ｔ１、Ｔ２、Ｔ３およびＴ４に基づいて各基地局に対して計算するステップと、
計算された伝送遅延の中で最大の伝送遅延を決定するステップと、
最大伝送遅延より大きな待機時間に従って、送信されるべきデータパケットに対する予想伝送時間を特定するステップと、
ゲートウェイから基地局に予想伝送時間を送信するステップと、
をさらに含む、請求項２に記載の方法。
【請求項５】
ゲートウェイから基地局に予想伝送時間を送信するステップが、
データパケット中に予想伝送時間を含めるステップと、
予想伝送時間を含むデータパケットを基地局に送信するステップと、
を含む、請求項４に記載の方法。
【請求項６】
基地局によりデータパケットを受信するステップと、
データパケットに含まれる予想伝送時間を基地局の独自の時間システムのフォーマット中の実伝送時間にマッピング関係に従って変換するステップと、
をさらに含む、請求項５に記載の方法。
【請求項７】
実伝送時間が有効であるか否かを決定するために、基地局により実伝送時間を基地局の独自の時間システムの現在時間と比較するステップと、
実伝送時間が有効でない場合に、同期処理を再度実施することをゲートウェイに要求するために、再同期要求信号をゲートウェイに送信するステップと、
をさらに含む、請求項６に記載の方法。
【請求項８】
伝送遅延を計算するステップおよび最大伝送遅延を決定するステップが、複数回実施され、決定された最大伝送遅延の平均が、基地局とゲートウェイ間に生じる伝送遅延として使用される、請求項４に記載の方法。
【請求項９】
同期要求信号および同期応答信号両者が、制御フレームの形で送信される、請求項１に記載の方法。
【請求項１０】
制御フレームが、１０ｍｓより長い、請求項９に記載の方法。
【請求項１１】
同期要求信号が、時間Ｔ１を基地局に送信するために、時間Ｔ１を含み、かつ同期応答信号が、時間Ｔ１を送信するために、送信された時間Ｔ１を含む、請求項１に記載の方法。
【請求項１２】
ゲートウェイと基地局間の同期を実行する方法であって、
時間Ｔ１において、ゲートウェイから基地局に同期要求信号を送信するステップと、
時間Ｔ２において、基地局により同期要求信号を受信するステップと、
時間Ｔ３において、基地からゲートウェイに時間Ｔ２および基地局の時間システムと基準時間の間の第１のオフセットを含む同期応答信号を送信するステップと、
ゲートウェイにより同期応答信号を受信し、かつゲートウェイの時間システムと基地局の時間システム間のマッピング関係を、ゲートウェイの時間システムと基準時間の間の第１のオフセットおよび第２のオフセットに従って各基地局に対して計算するステップと、
を含む、方法。
【請求項１３】
ゲートウェイから基地局にマッピング関係を含む情報を送信するステップ
をさらに含む、請求項１２に記載の方法。
【請求項１４】
情報を受信した後に各基地局からＡＣＫ信号をゲートウェイに送信するステップ
をさらに含む、請求項１３に記載の方法。
【請求項１５】
ゲートウェイと基地局間の伝送遅延を時間Ｔ１、Ｔ２、ゲートウェイの時間システムと基準時間の間の第１のオフセットおよび第２のオフセットに従って各基地局に対して計算するステップと、
計算された伝送遅延の中で最大伝送遅延を決定するステップと、
最大伝送遅延より大きい待ち時間に従って、転送されるべきデータパケットに対する予想伝送時間を特定するステップと、
予想伝送時間を基地局に送信するステップと、
をさらに含む、請求項１２に記載の方法。
【請求項１６】
予想伝送時間を基地局に送信するステップが、
予想伝送時間をデータパケットに含めるステップと、
予想伝送時間を含むデータパケットを基地局に送信するステップと、
を含む、請求項１５に記載の方法。
【請求項１７】
基地局によりデータパケットを受信するステップと、
データパケット中に含まれる予想伝送時間を基地局独自の時間システムのフォーマット中の実伝送時間にマッピング関係に従って変換するステップと、
をさらに含む、請求項１６に記載の方法。
【請求項１８】
実伝送時間が、有効であるか否かを決定するために、基地局により実伝送時間を基地局の独自の時間システムの現在時間と比較するステップと、
ゲートウェイに同期処理を再度実施することを要求するために、基地局から再同期要求信号をゲートウェイに送信するステップと、
をさらに含む、請求項１７に記載の方法。
【請求項１９】
伝送遅延を計算するステップおよび最大伝送遅延を決定するステップが、複数回実施され、決定された最大伝送遅延の平均が、基地局とゲートウェイ間に生じる伝送遅延として使用される、請求項１２に記載の方法。
【請求項２０】
同期要求信号および同期応答信号両者が、制御フレームのフォームで送信される、請求項１２に記載の方法。
【請求項２１】
制御フレームが、１０ｍｓより長い、請求項２０に記載の方法。
【請求項２２】
同期要求信号が、時間Ｔ１を基地局に送信するために時間Ｔ１を含み、かつ同期応答信号が、時間Ｔ３および時間Ｔ１を含む、請求項１２に記載の方法。
【請求項２３】
同期要求信号を少なくとも１つの基地局に対して時間Ｔ１において送信し、かつ基地局から時間Ｔ４において、基地局が同期要求信号を受信した時間Ｔ２および基地局が同期応答信号を送信した時間Ｔ３を含む同期応答信号を受信するように構成された通信手段と、
ゲートウェイの時間システムと基地局の時間システム間のマッピング関係を時間Ｔ１、Ｔ２、Ｔ３およびＴ４に従って基地局に対して計算するように構成された計算手段と、
を備えるゲートウェイ。
【請求項２４】
通信手段が、さらに、計算手段により計算されたマッピング関係を含む情報を基地局に送信するように構成された、請求項２３に記載のゲートウェイ。
【請求項２５】
計算手段が、さらに、基地局に対する伝送遅延を時間Ｔ１、Ｔ２、Ｔ３およびＴ４に従って計算し、計算された伝送遅延中の最大伝送遅延を決定し、かつ送信されるべきデータパケットに対する予想伝送時間を最大伝送遅延より長い待機時間に従って特定するように構成された、請求項２４に記載のゲートウェイ。
【請求項２６】
通信手段が、さらに、予想伝送時間を送信されるべきデータパケット中に含め、かつデータパケットを基地局に送信するように構成された、請求項２５に記載のゲートウェイ。
【請求項２７】
同期要求信号を受信し、同期要求信号を受信した時間を含む情報および同期応答信号をゲートウェイに送信した時間を含む情報を送信し、基地局の時間システムとゲートウェイの時間システム間のマッピング関係をゲートウェイから受信し、かつゲートウェイから予想伝送時間を含むデータパケットを受信するように構成された通信手段と、
予想伝送時間を基地局の時間システム下の実伝送時間に変換するように構成された変換手段と、
を備える、基地局。
【請求項２８】
実伝送時間が、有効であるか否かを決定するために、実伝送時間を基地局の時間システム下の現在時間と比較し、かつゲートウェイに同期を再度実施することを要求するために再同期要求信号を送信するように通信手段を制御するように構成された制御手段をさらに備える、請求項２７に記載の基地局。
【請求項２９】
通信手段が、さらに、データパケット中に実伝送時間を含め、かつデータパケットを利用者装置に送信するように構成された、請求項２８に記載の基地局。
【請求項３０】
同期要求信号を少なくとも１つの基地局に時間Ｔ１において送信し、かつ基地局が同期応答信号および基地局の時間システムと基準時間の間の第１のオフセットを受信した時間Ｔ２を含む同期応答信号を基地局から受信するように構成された通信手段と、
ゲートウェイの時間システムと基地局の時間システム間のマッピング関係を基地局の時間システムと基準時間の間の第１のオフセットおよび第２のオフセットに従って基地局に対して計算するように構成された計算手段と、
を備える、ゲートウェイ。
【請求項３１】
通信手段が、さらに、基地局に計算手段により計算されたマッピング関係を含む情報を送信するように構成される、請求項３０に記載のゲートウェイ。
【請求項３２】
計算手段が、さらに、基地局に対する伝送遅延を時間Ｔ１、Ｔ２、ゲートウェイの時間システムと基準時間の間の第１のオフセットおよび第２のオフセットに従って計算し、計算された伝送遅延中の最大伝送遅延を決定し、かつ送信されるべきデータパケットに対する予想伝送時間を最大伝送遅延より大きい待機時間に従って特定するように構成された、請求項３１に記載のゲートウェイ。
【請求項３３】
通信手段が、予想伝送時間を送信されるべきデータパケット中に含め、かつデータパケットを基地局に送信するように構成された、請求項３２に記載のゲートウェイ。
【請求項３４】
同期要求信号を受信し、同期要求信号を受信した時間を含む情報および同期応答信号をゲートウェイに送信した時間を含む情報を送信し、ゲートウェイから基地局の時間システムとゲートウェイの時間システム間のマッピング関係をゲートウェイから受信し、かつ予想伝送時間を含むデータパケットを受信するように構成された通信手段と、
予想伝送時間を基地局の時間システム下の実伝送時間に変換するように構成された変換手段と、
を備える、基地局。
【請求項３５】
実伝送時間が有効であるか否かを決定するために実伝送時間を基地局の時間システム下の現在時間と比較し、かつ同期処理を再度実施することをゲートウェイに要求するために再同期要求信号を送信するように通信手段を制御するように構成された制御手段をさらに備える、請求項３４に記載の基地局。
【請求項３６】
通信手段が、さらに、実伝送時間をデータパケット中に含め、かつデータパケットを利用者装置に送信するように構成された、請求項３５に記載の基地局。
【請求項３７】
請求項２３に記載された少なくとも１つのゲートウェイおよび請求項２７に記載された少なくとも１つの基地局を備える通信ネットワーク。
【請求項３８】
請求項３０に記載された少なくとも１つのゲートウェイおよび請求項３４に記載された少なくとも１つの基地局を備える通信ネットワーク。
【発明の詳細な説明】
【技術分野】
【０００１】
本発明は、移動体通信における同期技術に関し、特に、ＲＦ合成をサポートするゲートウェイ、基地局および通信ネットワークおよびこれらの同期方法に関する。
【背景技術】
【０００２】
３ＧＰＰ  ＬＴＥでは、２階層フラットネットワークアーキテクチャが、コアネットワークに適用される、すなわち、ＷＣＤＭＡ／ＨＳＤＰＡ段階でのＮｏｄｅＢ、ＲＮＣ、ＳＧＳＮおよびＧＧＳＮの４つのネットワークユニットが、ｅＮｏｄｅＢ、すなわち発展したＮｏｄｅＢ（ｅＮＢ）（以下、簡略化のために「基地局」）、およびアクセスゲートウェイ（ａＧＷ）のような２つに発展する。また、完全なＩＰ分散構造が、ＩＭＳ、ＶｏＩＰ、ＳＩＰおよびＭｏｂｉｌｅＩＰなどをサポートするためにコアネットワークに適用される。
【０００３】
図１は、ＬＴＥシステムにおけるネットワーク構造を示す。ａＧＷは、複数のｅＮＢ（例えば、ｅＮＢ１、ｅＮＢ２およびｅＮＢ３）にインタフェースＳ１を通じて接続を確立することができる。また、ｅＮＢは、インタフェースＸ２を通じて相互にメッシュ状に（図１の破線）接続を確立することができる。ｅＮＢ１−３のセルは、それぞれＵＥ１１−Ｅ１２、ＵＥ２１−２３およびＵＥ３１−３３のようないくつかの例示的利用者装置を有する。
【０００４】
ＬＴＥシステムでは、ＯＦＤＭが、無線インタフェース用の物理レイヤダウンリンク伝送方式として適用され、ＳＣ−ＦＤＭＡが、アップリンク伝送方式として適用される。ＯＦＤＭのアプリケーションを用いて、異なるセル中の同一の無線信号は、なんらの特別な処理オーバヘッド無しに信号強度を改善するように空中で自然に合成されえて、無線周波数合成（ＲＦ合成）と呼ばれる。
【０００５】
従って、単一周波数ネットワーク（ＳＦＮ）複数セル伝送モード下での空中ＲＦ合成をサポートすることによりセル境界における利得を改善するための要件は、ＥＭＢＭＳでは同一のサービスデータを異なるＵＥに伝送することが必要であるために、ＬＴＥにおけるＥＭＢＭＳに対する基準として定義される。
【０００６】
物理レイヤフレームタイミング同期は、ＥＭＢＭＳに対するＲＦ合成要件を精密に満足することによりＳＦＮ中のｅＮＢに対して達成されている。しかしながら、ＲＦ合成の有効性を保証するためには、合成されるべき無線信号は、ＭＢＭＳサービスコンテンツが同期しかつ一貫性があることが要求される。すなわち、レイヤ２（Ｌ２）伝送同期は、ＭＢＭＳサービスの複数セル伝送に対して保証されるべきである。
【０００７】
さらに、ＬＴＥネットワークアーキテクチャ設計では、ＩＰマルチキャスト伝送が、ＬＴＥアーキテクチャにおけるｅＮＢレベルに拡張されてきている。ＭＢＭＳパケットは、ＩＰマルチキャスト伝送を使用してｅＮＢの１群に一度だけ送信されることになる。また、現在のＩＰマルチキャストルーティングプロトコルは、各ｅＮＢとａＧＷ間の経路が、主にネットワークトポロジー配置に依存し、使用されるルータが崩壊しない限り変更されないことを保証することができる。本例は、めったに生じない。さらに、ルータ処理能力およびトランスポートネットワーク負荷は、ネットワーク計画の間に最適化されることになる。従って、異なる伝送時間遅延についての唯一の事実は、ａＧＷからｅＮＢへの異なる伝送経路である。すなわち、ＳＦＮ領域における物理レイヤ時間同期にも拘らず、異なるｅＮＢは、異なる時間に異なる経路で同一のＭＢＭＳパケットを受信する可能性がある。
【０００８】
図２は、同一のデータパケットが、ａＧＷから異なるｅＮＢに送信される伝送遅延を示す。図２（ａ）に示すように、データパケットが、ａＧＷからｅＮＢ１に送信されるルーティングは、ａＧＷ＝＝＞ルータＲ１＝＝＞ｅＮＢ１である。また、データパケットが、ａＧＷからｅＮＢ２に送信されるルーティングは、ａＧＷ＝＝＞ルータＲ２＝＝＞ルータＲ３＝＝＞ｅＮＢ２である。同一のデータパケットが、異なる経路を通じて送信されることから異なる遅延が生じる。
【０００９】
図２（ｂ）に示すように、時間Ｔ０において、データパケットは、ａＧＷからｅＮＢ１およびｅＮＢ２それぞれに送信される。データパケットは、時間Ｔ１にｅＮＢ１に到達し、また時間Ｔ２にｅＮＢ２に到達する。従って、遅延ＴＤ＝Ｔ２−Ｔ１が、異なるｅＮＢに対する同一のデータパケットの伝送に対して生じる。
【００１０】
この方法では、データパケットが、ａＧＷからｅＮＢ１およびｅＮＢ２によりそれぞれ受信された直後に送信される場合、明らかに、データパケットは、異なるｅＮＢによりＵＥに非同期に送信される。このことは、これらのデータパケットが、正しく合成されえない、または余分な干渉までも引き起こすという結果を生じる。さらに、同一のデータパケットが、ｅＮＢに到着した後、フレーム構築のためのセグメンテーション、符号化および変調などのような操作を実行することが各ｅＮＢに必要となる。調和を欠くフレーミング時間はまた、これらのデータパケットのＲＦ合成に影響することになる。
【先行技術文献】
【特許文献】
【００１１】
【特許文献１】中国特許出願公開第２００６１００２９８６３．７号明細書
【特許文献２】中国特許出願公開第２００６１００２８１０９．１号明細書
【発明の概要】
【発明が解決しようとする課題】
【００１２】
上記の問題に対して、本発明が実施された。ＬＴＥにおけるＭＢＭＳパケットのＲＦ合成上の要件を満足するためにゲートウェイ、基地局、通信ネットワークおよびこれらの同期方法を提案することが、本発明の目的である。
【課題を解決するための手段】
【００１３】
本発明のある態様によれば、本発明は、時間Ｔ１において、ゲートウェイから基地局に同期要求信号を送信するステップと、時間Ｔ２において、基地局により同期要求信号を受信するステップと、時間Ｔ３において、基地局からゲートウェイに時間Ｔ２およびＴ３を含む同期応答を送信するステップと、時間Ｔ４において、ゲートウェイにより同期応答信号を受信するステップと、ゲートウェイの時間システムと基地局の時間システム間のマッピング関係の計算が、Ｔ１、Ｔ２、Ｔ３およびＴ４に基づいて基地局に対して計算されるステップと、を含むゲートウェイと基地局間の同期を実施するための方法を提供する。
【００１４】
本発明の別の態様によれば、本発明は、時間Ｔ１において、ゲートウェイから基地局に同期要求信号を送信するステップと、時間Ｔ２において、基地局により同期要求信号を受信するステップと、時間Ｔ３において、基地局からゲートウェイに時間Ｔ２および基地局の時間システムと基準時間の間の第１のオフセットを含む同期応答を送信するステップと、ゲートウェイにより同期応答信号を受信するステップと、各基地局に対するゲートウェイの時間システムと基地局の時間システム間のマッピング関係を、ゲートウェイの時間システムと基準時間の間の第１のオフセットおよび第２のオフセットに従って計算するステップと、を含むゲートウェイと基地局間の同期を実施するための方法を提供する。
【００１５】
本発明の別の態様によれば、本発明は、時間Ｔ１において、同期要求信号を少なくとも１つの基地局に送信し、かつ基地局が同期要求信号を受信した時間Ｔ２および基地局が同期応答信号を送信する時間Ｔ３を含む同期応答信号を時間Ｔ４において基地局から受信するように構成された通信手段と、ゲートウェイの時間システムと基地局の時間システム間のマッピング関係を時間Ｔ１、Ｔ２、Ｔ３およびＴ４に従って基地局に対して計算するように構成された計算手段と、を備えるゲートウェイを提供する。
【００１６】
本発明の別の態様によれば、本発明は、同期要求信号を受信し、同期要求信号を受信した時間を含む情報および同期応答信号をゲートウェイに送信する時間を含む情報を送信し、基地局の時間システムとゲートウェイの時間システム間のマッピング関係をゲートウェイから受信し、かつゲートウェイから予想伝送時間を含むデータパケットを受信するように構成された通信手段と、予想伝送時間を基地局の時間システム下での実伝送時間に変換するように構成された変換手段と、を備える基地局を提供する。
【００１７】
本発明の別の態様によれば、本発明は、時間Ｔ１において、同期要求信号を少なくとも１つの基地局に送信し、かつ基地局が同期要求信号を受信した時間Ｔ２および基地局の時間システムと基準時間の間の第１のオフセットを含む同期応答信号を基地局から受信するように構成された通信手段と、ゲートウェイの時間システムと基地局の時間システム間のマッピング関係を、基地局の時間システムと基準時間の間の第１のオフセットおよび第２のオフセットに従って、基地局に対して計算するように構成された計算手段と、を備えるゲートウェイを提供する。
【００１８】
本発明の別の態様によれば、同期要求信号を受信し、同期要求信号を受信した時間を含む情報および同期応答信号をゲートウェイに送信する時間を含む情報を送信し、基地局の時間システムとゲートウェイの時間システム間のマッピング関係をゲートウェイから受信し、かつ予想伝送時間を含むデータパケットを受信するように構成された通信手段と、予想伝送時間を基地局の時間システム下での伝送時間に変換するように構成された変換手段と、を備える基地局。
【００１９】
本発明の別の態様によれば、上記の少なくとも１つのゲートウェイおよび上記の少なくとも１つの基地局を備える通信ネットワーク。
【００２０】
本発明で提案された構成および方法を用いて、ａＧＷとｅＮＢ間の正確な同期が、経路遅延およびジッターエラーのためにＬＴＥにおけるＭＢＭＳデータパケットに対して達成されえないという問題を回避することができ、従って、ＵＥが正確なＲＦ合成を実施できることを保証するために、すべてのｅＮＢが、ＭＢＭＳデータパケットに対して同一の伝送時間を特定することができる。
【００２１】
本発明の特徴および利点は、図面を参照することでより明らかかつ詳細となるように説明されうる。
【図面の簡単な説明】
【００２２】
【図１】ＬＴＥネットワーク構造を示す図である。
【図２】同一のデータパケットが、ａＧＷから異なるｅＮＢに送信される遅延を示す概略図である。
【図３】本発明の実施形態により提案されるネットワーク構造を示す図である。
【図４】本発明の第１の実施形態によるａＧＷのブロック図である。
【図５】本発明の第１の実施形態によるｅＮＢのブロック図である。
【図６】第１の実施形態によるａＧＷとｅＮＢ間で実施される動作の流れを示す図である。
【図７】ａＧＷのフレーム番号カウンターとｅＮＢのフレーム番号カウンター間の関係を示す図である。
【図８】共通の基準クロックがない場合のａＧＷとｅＮＢ間の同期を示す図である。
【図９】統一された伝送時間を指定する方法および関連した伝送実施形態を示す図である。
【図１０】再同期方法を示す図である。
【図１１】２つのＳＦＮの物理レイヤフレームタイミング間の関係を示す図である。
【図１２】「ジッター」エラーを示す図である。
【図１３】「ジッター」エラーを除去するために設定されたフレーム長を示す図である。
【図１４】本発明の第２の実施形態によるネットワーク構造を示す図である。
【図１５】本発明の第２の実施形態によるａＧＷのブロック図である。
【図１６】本発明の第２の実施形態によるｅＮＢのブロック図である。
【図１７】外部共通基準クロックがある場合のＡＦＮとＢＦＮ−ｉ間の関係を示す図である。
【図１８】共通基準クロックがある場合のａＧＷとｅＮＢ間の同期を示す図である。
【図１９】ＬＴＥにおけるＲＦ合成に対して要求される３層同期構造を示す図である。
【発明を実施するための形態】
【００２３】
図面を参照して本発明の好ましい実施形態についての詳細な説明に取り掛かろう。添付の図面の間で、同一の参照番号（異なる図面であるが）は、同一または類似の構成要素を意味する。明瞭かつ簡潔であるように、よく知られた機能および構造についての説明は、本発明の主たる考えの提示を妨げないように除外されるであろう。
【００２４】
（第１の実施形態）
図３は、本発明の実施形態により提案されるネットワーク構造を示す。説明の利便性のために、ただ１つのａＧＷ、ＳＦＮ領域中の２つのｅＮＢ（ｅＮＢ１およびｅＮＢ２）並びにＵＥ１１、ＵＥ１２、ＵＥ２１、ＵＥ２２およびＵＥ２３が、図３に示されている。ここでは、ルータなどのようないくつかの他の装置は、除外されている。明らかに、ネットワーク構造の選択は、本発明を例示することを目的としている。実際に構築されるネットワークでは、この実施例の正確な構造を有するものではない。当業者は、複数のａＧＷ、より多くのｅＮＢおよび他の補足的装置を実際には採用することができる。
【００２５】
図４は、本発明の第１の実施形態によるａＧＷのブロック図を示す。図５は、本発明の第１の実施形態によるｅＮＢのブロック図を示す。
【００２６】
図４に示すように、第１の実施形態のａＧＷは、マルチメディア放送および同報センターから送信されるＭＢＭＳデータパケットをバッファリングするゲートウェイバッファー１１０、ゲートウェイ全体の動作を制御するゲートウェイ制御装置１２０、データパケットおよび信号をＵＥに送信し、また信号をＵＥから受信するゲートウェイ通信ユニット１３０、ａＧＷのシステムタイマーとして動作するゲートウェイフレーム番号カウンター１５０、並びに伝送遅延および伝送時間を通信ユニットによりＵＥから受信した信号に従って計算する計算ユニット１４０を含む。
【００２７】
図５に示すように、第１の実施形態中のｅＮＢ１は、ａＧＷとの通信に責任を持つ通信ユニット２１０、ａＧＷから送信されたＭＢＭＳデータパケットをバッファリングするｅＮＢバッファー２２０、ｅＮＢ１全体を制御するｅＮＢ制御装置２３０、ＭＢＭＳデータパケットの伝送時間をａＧＷから送信されたマッピング関係に従ってＢＦＮフォーマット中の実時間に変換する変換ユニット２５０、ｅＮＢフレーム番号カウンター２７０、受信したＭＢＭＳデータパケットに対するセグメンテーション、フレーム構築、および変調のような操作を実施するデータ処理ユニット２４０、並びにデータ処理ユニット２４０中の処理されたデータパケットを、変換ユニット２５０を通じて得られた伝送時間に従ってＵＥに送信する伝送ユニット２６０を含む。ｅＮＢ２は、ｅＮＢ１と同一の構造を有する。ここでは、詳細な説明は行わない。
【００２８】
ａＧＷの構造およびｅＮＢの構造は、これらの機能ブロックをそれぞれ個別に説明する形で上記に示されている。しかし、これは、ａＧＷおよびｅＮＢの機能を明確に説明することのみを目的とする。当業者は、１つ、複数、またはすべての機能を単一のハードウェア中に統合することも、いくつかの機能をハードウェア中に、また他の機能をソフトウェア中に実装することも、あるいはすべての機能をソフトウェア中に完全に実装することもできる。
【００２９】
図６は、第１の実施形態におけるａＧＷとｅＮＢ間で実施される動作の流れを示す。
【００３０】
図６に示すように、ステップＳ１０において、同期処理は、ａＧＷに電源が入れられた後、またはある事象（例えば、毎日の事前設定時間）がトリガされた場合に、ａＧＷのシステムフレーム番号ＡＦＮとｅＮＢｉのシステムフレーム番号ＢＦＮ−ｉ間の対応するまたはマッピング関係（Δｉ）およびａＧＷとｅＮＢｉ間の伝送遅延ＴＤｉを取得するように、ｅＮＢｉ（ｉ＝１，２）とａＧＷ間で実行される。
【００３１】
絶対的な時間システム（個別のシステムのフレーム番号ではなくて）が、ａＧＷのシステムタイミングまたはｅＮＢｉのシステムタイミングいずれにも適用されないので、２つのカウンター、すなわち、ゲートウェイフレーム番号カウンター１５０およびｅＮＢフレーム番号カウンター２７０間の関係を説明することが必要である。
【００３２】
図７は、ａＧＷおよびＳＦＮ領域中のｅＮＢのそれぞれのフレーム番号カウンター間の関係を示す。
【００３３】
図７では、ＡＦＮは、ａＧＷ独自のフレーム番号フォーマットでのａＧＷの時間カウンターを表し、ＢＦＮ−１は、ｅＮＢ１独自のフレーム番号フォーマットでのｅＮＢ１の時間カウンターを表し、ＢＦＮ−２は、ｅＮＢ２独自のフレーム番号フォーマットでのｅＮＢ２の時間カウンターを表す。また、同一精度の１／８フレームが、ＡＦＮおよびＢＦＮで採用されている。すなわち、ＢＦＮ−１は、ｅＮＢ１のフレーム番号カウンター２７０の値を示す。ＷＣＤＭＡリリース６で定義されているＢＦＮと同様に、これは、０−４０９５の範囲の値を有するネットワーク同期に対してｅＮＢで採用される時間基準である。ＡＦＮは、ａＧＷのフレーム番号カウンター１５０の値を示す。ＷＣＤＭＡリリース６で定義されているＲＦＮと同様に、これもまた、０−４０９５の範囲の値を有するネットワーク同期に対してａＧＷで採用される時間基準である。電源が入れられ、初期化されると、ａＧＷのフレーム番号カウンター２７０およびｅＮＢのフレーム番号カウンター１５０両者は、独立に計数を実行する。ＳＦＮ領域では、同期が、物理レイヤのフレームタイミングに対して保証されているので、この領域中のｅＮＢｉのＢＦＮ−ｉは、境界上に同一のフレームに整列される。しかし、共通基準クロックがない場合、オフセットが、通常、図７に示すように、ｅＮＢｉのフレーム番号とａＧＷのフレーム番号の間に存在する。
【００３４】
オフセットが、ａＧＷのフレーム番号とｅＮＢのフレーム番号の間に存在するが、データ送信が、各フレームの境界から開始され、かつ各フレームは、時間スタンプとしてフレーム番号を付けられるため、データ送信に対して悪影響を生じることはない。従って、伝送レイヤの同期要件は、ＳＦＮ領域中のｅＮＢｉから送信されるべき同一のＭＢＭＳデータフレームが、整列されたＢＦＮフレーム境界から開始されるように送信されるという条件下で満足されうる。
【００３５】
図８は、共通基準クロックがない場合のａＧＷおよびｅＮＢ間の同期を示す。
【００３６】
図８に示すように、まず最初に、ゲートウェイ制御装置１２０は、ダウンリンク同期信号（例えば、ダウンリンク同期制御フレーム）をＳＦＮ領域中のｅＮＢにゲートウェイ通信ユニット１３０を通じて送信して、ｅＮＢｉと同期することを要求する。ゲートウェイ制御装置１２０は、現在のフレーム番号をａＧＷのフレーム番号カウンター１５０に送信時間Ｔ１（第１の時間）として記録し、ダウンリンク同期信号中に含められる。明らかに、送信時間Ｔ１（第１の時間）は、まさにａＧＷの時間システム下でのものである。
【００３７】
次いで、各ｅＮＢｉは、ｅＮＢの通信ユニット２１０によってダウンリンク同期信号を受信し、ダウンリンク同期信号の受信のために現在のフレーム番号をｅＮＢのフレーム番号カウンター２７０に時間Ｔ２ｉ（第２の時間）として記録する。ここで、ｉ＝１，２は、ｅＮＢｉの添字である。ここで、ｅＮＢｉは、図８に示すように、少なくとも、対応するｅＮＢｉがダウンリンク同期信号を受信する時間Ｔ２ｉ（ｅＮＢのフレーム番号のフォーマット中にある）および対応するｅＮＢｉがアップリンクノード同期信号を送信する時間Ｔ３ｉ（第３の時間）を含む、あるいは、送信時間Ｔ１を含む、ａＧＷに対するアップリンクノード同期制御フレームのようなアップリンクノード同期信号で応答する。同様に、Ｔ２ｉ（第２の時間）およびＴ３ｉ（第３の時間）両者は、ｅＮＢの時間システム下でのものである。
【００３８】
ここで、ゲートウェイ制御装置１２０は、アップリンクノード同期信号をｅＮＢｉからゲートウェイ通信ユニット１３０によって受信し、アップリンクノード同期信号の受信のために現在のフレーム番号をゲートウェイカウンター１５０に時間Ｔ４ｉ（第４の時間）として記録する。すべての上記フレーム番号の計数精度が、１／８フレームであり、また、Ｔ４ｉ（第４の時間）が、ａＧＷの時間システム下でのものであることに留意されたい。
【００３９】
ここで、同一の遅延が、ダウンリンク送信およびアップリンク送信両者に存在することを仮定する。各ｅＮＢｉに対して、（以下の記述がすべてのｅＮＢに対して行われるので、添字ｉは除去される）
（Ｔ２ｉ’−Ｔ１）ｍｏｄ４０９６＝（Ｔ４ｉ−Ｔ３ｉ’）ｍｏｄ４０９６  −−−（１）
を得る。
ここで、Ｔ２ｉ’およびＴ３ｉ’はそれぞれ、ＢＦＮフォーマット中のＴ２ｉおよびＴ３ｉに対応するＡＦＮフォーマット中のフレーム番号（時間）を示す。従って、
Ｔ２ｉ＝（Ｔ２ｉ’＋Δｉ）ｍｏｄ４０９６、Ｔ３ｉ＝（Ｔ３ｉ’＋Δｉ）ｍｏｄ４０９６  −−−（２）
【００４０】
従って、
（Ｔ２ｉ−Δｉ−Ｔ１）ｍｏｄ４０９６＝（Ｔ４ｉ−Ｔ３ｉ＋Δｉ）ｍｏｄ４０９６  −−−（３）
【００４１】
ここで、ＢＦＮとＡＦＮ間のマッピング関係は、
Δｉ＝Ｒｏｕｎｄ［（（Ｔ２ｉ−Ｔ１＋Ｔ３ｉ−Ｔ４ｉ）ｍｏｄ４０９６）／２］  −−−（４）
として得られ、また、本ルーティング中のａＧＷおよびｅＮＢ間の遅延は、
ＴＤｉ＝Ｃｅｉｌ［（（Ｔ２ｉ−Ｔ１＋Ｔ４ｉ−Ｔ３ｉ）ｍｏｄ４０９６）／２］  −−−（５）
として得られる。
ここで、Ｒｏｕｎｄは丸め関数を意味し、またＣｅｉｌは、整数への切り上げ関数を意味する。また、受信した時間および式（４）および（５）に従って、計算ユニット１４０は、マッピング関係および伝送遅延を計算する。
【００４２】
ここで、図８に示された具体的なデータの助けで、さらに同期時間情報を得る方法を説明するために、実施例としてａＧＷおよびｅＮＢ１中に存在する関係および伝送遅延を取りあげる。
【００４３】
図８に示すように、ａＧＷの通信ユニット１３０は、送信時間Ｔ１を含む、ダウンリンクノード同期信号をｅＮＢに対してａＧＷのフレーム番号カウンター１５０中の現在のフレーム番号において、すなわち、時間Ｔ１＝４０９４．２５０において送信する。次いで、ｅＮＢ１の通信ユニット２１０は、ダウンリンクノード同期信号をｅＮＢのフレーム番号カウンター２７０中の現在のフレーム番号において、すなわち、Ｔ２ｉ＝１４９．８７５において受信する。
【００４４】
ｅＮＢ１の通信ユニット２１０は、ａＧＷの送信時間Ｔ１、ｅＮＢ１がダウンリンクノード同期信号を受信した時間Ｔ２１およびｅＮＢ１がアップリンクノード同期信号を送信する時間Ｔ３１を含むアップリンクノード同期信号を、ｅＮＢのフレーム番号カウンター２７０中の現在のフレーム番号において、すなわち、時間Ｔ３１＝１５１．１２５において送信する。しかしながら、上記に述べたように、ａＧＷは、時間Ｔ１を記録することができるので、アップリンクノード同期信号中のＴ１についての情報を含む必要はない。
【００４５】
ａＧＷの通信ユニット１３０は、アップリンクノード同期信号をａＧＷのフレーム番号カウンター１５０中の現在のフレーム番号において、すなわち、時間Ｔ４１＝２．８７５において、受信する。
【００４６】
次いで、ステップＳ２０において、計算ユニット１４０は、Ｔ１、Ｔ２１、Ｔ３１およびＴ４１並びに式（４）および（５）を用いて以下の情報を計算する。
ａＧＷフレーム番号ＡＦＮとｅＮＢフレーム番号ＢＦＮ−１間のマッピング関係：
Δｉ＝Ｒｏｕｎｄ［（（Ｔ２１−Ｔ１＋Ｔ３１−Ｔ４１）ｍｏｄ４０９６）／２］＝１５０
従って、ＢＦＮ−１＝（ＡＦＮ＋１５０）ｍｏｄ４０９６
また、ａＧＷからｅＮＢ１への伝送経路中の伝送遅延：
ＴＤ１＝Ｃｅｉｌ［（（Ｔ２１−Ｔ１＋Ｔ４１−Ｔ３１）ｍｏｄ４０９６）／２］＝２
【００４７】
この方法で、ａＧＷおよびｅＮＢ間のマッピング関係Δｉおよび伝送遅延ＴＤｉを得る。
【００４８】
さらに、クロックドリフトが、ａＧＷおよびｅＮＢｉの両時間システム中に存在するので、ＡＦＮとＢＦＮ−ｉ間のマッピング関係Δｉはまた、クロックドリフトにより変化する。３ＧＰＰ  ＴＳ２５．１０４中で規定されているｅＮＢの周波数偏差０．１ｐｐｍの最小要件により、１日後のｅＮＢｉおよびａＧＷ中のクロックドリフト時間を
３６００＊２４＊０．１＊１０−６＝８．６４ｍｓ
として得ることができる。
【００４９】
従って、高々約１フレームのドリフトが、日々ｅＮＢｉおよびａＧＷ中に存在し、従って、ａＧＷおよびｅＮＢｉ間の最大クロックドリフトは、１日当たり２×８．６４ｍｓである。
【００５０】
ＡＦＮとＢＦＮ−ｉ間のマッピング関係Δｉの精度を保証するために、同期処理は、ａＧＷとｅＮＢｉ間で１日当たり２回実行されるべきである。
【００５１】
ＡＦＮとＢＦＮ−ｉ間のマッピング関係Δｉおよび伝送遅延ＴＤｉが得られた後、次いで、ステップＳ３０において、ａＧＷの制御装置１２０は、ノード同期信号をｅＮＢｉにａＧＷの通信ユニット１３０によって送信する、すなわち、計算されたマッピング関係Δｉを対応するｅＮＢｉに送信する。
【００５２】
ｅＮＢｉが、ノード同期信号を受信した後、各ｅＮＢｉの制御装置２３０は、対応するｅＮＢｉが、マッピング関係Δｉを受信したことを確認するために、ノード同期ＡＣＫ信号をａＧＷにｅＮＢｉの通信ユニット２１０によって送信する。
【００５３】
ステップＳ４０において、ａＧＷからｅＮＢｉに送信される必要があるＭＢＭＳデータパケットがある場合、ａＧＷは、ｅＮＢｉに対するＭＢＭＳデータパケットの統一された予想伝送時間ＡＦＮｅｘｐｅｃｔ（ＡＦＮフォーマット中にある）を特定する。
【００５４】
統一された予想伝送時間が特定されたとき、ｅＮＢｉとａＧＷ間の最大伝送遅延ＭａｘＴＤ、すべてのｅＮＢの最大処理時間Ｔｐｒｏｃおよび余分なガードインターバルＴｍａｒｇｉｎとしてこのような要因を考慮することがａＧＷに対して必要である。最大伝送遅延ＭａｘＴＤ、最大処理時間ＴｐｒｏｃおよびガードインターバルＴｍａｒｇｉｎの合計は、待機時間ＷＴと呼ばれる。
【００５５】
ステップＳ１０におけるａＧＷとｅＮＢｉ間のノード同期時間情報を得る処理に基づいて、ａＧＷとすべての関連したｅＮＢ間の伝送遅延ＴＤｉを得ることができる。また、これらの伝送遅延の最大のもの、すなわちＭａｘＴＤを抽出することができる。
【００５６】
さらに、追加の処理オーバヘッド（例えば、データ処理ユニット２４０中で実施されるセグメンテーション、符号化、変調など）が、各ｅＮＢｉがＭＢＭＳデータパケットを受信した後に存在するので、最大処理時間Ｔｐｒｏｃを事前設定すること、および統一された予想送信時間を特定するときにこの係数を待機時間に組み込むことが必要である。一般に、最大処理時間Ｔｐｒｏｃは、予め、すなわち、これを予め統計的にまたはｅＮＢの処理能力に従って得るために事前設定される。
【００５７】
さらに、ＭＢＭＳデータパケットが、ｅＮＢに送信された後に、送信するためにデータフレームに分割されることになるという事実を考慮に入れることが必要である。各ｅＮＢｉにおけるＭＢＭＳデータパケットに対する一貫したセグメンテーションを保証するために、ＭＢＭＳサービスデータに対して関連したｅＮＢ中の同一のＴＦＣパラメータを構成し、ＭＢＭＳデータパケットに対して行われる一貫したセグメンテーションおよび符号化変調を保証することが必要である。従って、なんらのカスケード動作も、ｅＮＢによりＭＢＭＳデータパケットに対して行われない。同一のＭＢＭＳデータパケット中のデータフレームは、各ｅＮＢにより連続して送信される。
【００５８】
データフレームの送信中、データパケットのデータフレームは、前のデータパケットのフレームの送信後に正しく送信されるべきであるので、ガードインターバルを構成するとき、ＭＢＭＳデータパケットが、いくつのデータフレームに分割されうるかという要因を考慮することが必要である。
【００５９】
ＭＢＭＳデータパケットに対する一貫したセグメンテーションを実施するために、簡単な処理は、各ＭＢＭＳサービスデータに対してａＧＷおよびｅＮＢ両者におけるＩＰパラメータのような資源ブロックパラメータを事前定義しかつ事前構成することである。ＭＢＭＳデータフレームの送信長は、ａＧＷに知られており、また、このようなセグメンテーションは、ＭＢＭＳサービスに対して固定される。
【００６０】
各ＭＢＭＳデータパケットに対して、統一された予想伝送時間が、ａＧＷの計算ユニット１４０により
ＡＦＮｅｘｐｅｃｔ＝（ＡＦＮｓｔａｒｔ＋ＷＴ）ｍｏｄ４０９６＝（ＡＦＮｓｔａｒｔ＋ＭａｘＴＤ＋Ｔｐｒｏｃ＋Ｔｍａｒｇｉｎ）ｍｏｄ４０９６  −−−（６）
として特定される。
【００６１】
図９は、統一された予想伝送時間を特定し、次いで、統一された予想伝送時間の伝送の対応する実行例を与える方法を示す。図９に示すように、ＡＦＮｓｔａｒｔ＝４０９４、ＭａｘＴＤ＝３、Ｔｐｒｏｃ＝１、Ｔｍａｒｇｉｎ＝３、すなわち、ＷＴ＝７、従って、ＡＦＮｅｘｐｅｃｔ＝（４０９４＋７）ｍｏｄ４０９６＝５。
【００６２】
ここで、ステップＳ５０では、ａＧＷは、送信されるべきＭＢＭＳデータフレームにおける予想伝送時間ＡＦＮｅｘｐｅｃｔを示す。各ＭＢＭＳデータパケットにおいて、統一された予想伝送時間ＡＦＮｅｘｐｅｃｔは、帯域内情報として各ｅＮＢｉに送信される。図１０に示すように、統一された予想伝送時間ＡＦＮｅｘｐｅｃｔ＝５は、ａＧＷから各ｅＮＢｉに送信されるデータパケット中に含まれる。
【００６３】
ステップＳ６０において、ｅＮＢｉが、ＭＢＭＳデータパケットを受信した後、ＭＢＭＳデータパケット中に含まれる統一された予想伝送時間ＡＦＮｅｘｐｅｃｔを、ａＧＷのＡＦＮとａＧＷ独自のＢＦＮ−ｉ間のマッピング関係Δｉに従ってｅＮＢｉ独自のＢＦＮ−ｉフォーマットを有するものに変換する、すなわち、
ＢＦＮｔｒａｎｓｍｉｔｉ＝（ＡＦＮｅｘｐｅｃｔ＋Δｉ）ｍｏｄ４０９６     −−−（７）
【００６４】
図９に示すように、ｅＮＢｉに対して、マッピング関係Δｉ＝１５０。従って、ｅＮＢ１の伝送時間ＢＦＮｔｒａｎｓｍｉｔ１＝（５＋１５０）ｍｏｄ４０９６＝１５５。また、ｅＮＢ２に対して、マッピング関係Δｉ＝４０４。従って、ｅＮＢ２の伝送時間ＢＦＮｔｒａｎｓｍｉｔ２＝（５＋４０４）＝４０９。
【００６５】
各ｅＮＢが、ＭＢＭＳデータパケットを受信し、対応するＢＦＮｔｒａｎｓｍｉｔｉを計算した後、各ｅＮＢは、計算されたフレーム番号をｅＮＢの現在フレーム番号と比較する。計算されたＢＦＮｔｒａｎｓｍｉｔｉが、現在フレーム番号より前のものであるすなわち、計算されたＢＦＮｔｒａｎｓｍｉｔｉが、この伝送に適していない場合、ｅＮＢは、タイミング調整信号をａＧＷに送信して、同期処理を再度実行することを要求する。
【００６６】
図１０は、再同期処理を示す。図１０に示すように、ＢＦＮｔｒａｎｓｍｉｔ２が、伝送に適していないことをｅＮＢ２が検出した場合、ｅＮＢ２は、タイミング調整信号をａＧＷに送信する。ａＧＷが、タイミング調整信号を受信した後、ａＧＷは、再度、同期処理を再度実施するために、ダウンリンクノード同期信号をＳＦＮ領域中のｅＮＢに送信する。後続のステップは、上記に述べたことと全く同一であり、詳細はここでは省かれる。
【００６７】
上記の説明は、ＲＦ合成に対するあるＳＦＮ領域中のｅＮＢの同期動作についてのものである。ＳＦＮ領域が、いくつかのサブＳＦＮ領域に分割されている場合、各サブＳＦＮ領域において、物理レイヤフレームタイミング同期が、各ｅＮＢに対して達成されているが、なんらの正確な整合も、異なるサブＳＦＮ領域中のフレームタイミング境界に対して及ばない。また、高々１フレーム（１０ｍｓ）未満が、異なるサブＳＦＮ領域中のフレームタイミング境界に存在する。このことは、ソフト合成に許容される最大伝送遅延が４０ｍｓであるという、ソフト合成の要件を十分に満足する。
【００６８】
図１１は、２つのサブＳＦＮ領域の物理レイヤフレームタイミング間の関係を示す。図１１に示すように、ａＧＷの４つのｅＮＢ（ｅＮＢ１−４）の中で、ｅＮＢ１−２は、ＳＦＮ領域１に属し、またｅＮＢ３−４は、ＳＦＮ領域２に属する。これらの２つの領域内では、それぞれのｅＮＢの物理レイヤフレームタイミングは、全く同一のものに整合されている。また、２つの領域間では、１０ｍｓ未満のある偏差が、フレームタイミング中に存在する。
【００６９】
従って、本発明で提案された方法によって、単一ＳＦＮ領域におけるＲＦ合成要件のみならず、異なるサブＳＦＮ領域におけるソフト合成要件が満足されうる。
【００７０】
さらに、ＩＰ伝送技術の応用により、「ジッター」エラーは、ａＧＷからｅＮＢへ送信されるデータおよびａＧＷおよびｅＮＢ間のノード同期測定結果両者に対して引き起こされる。理由は、ＩＰ伝送技術の処理能力が、ネットワーク負荷に関連している、すなわち、重いネットワーク負荷の場合の測定された伝送遅延は、軽負荷の場合の伝送遅延と異なる。
【００７１】
図１２は、「ジッター」エラーを示す。図１２では、ＡＦＮは、ａＧＷの独自のフレームのフォーマット中の時間カウンターを意味し、ＢＦＮ−１は、ｅＮＢ１の独自のフレームのフォーマット中の時間カウンターを意味し、またＡＦＮおよびＢＦＮの適用される精度は、１／８フレームである。図１２に示すように、ＡＦＮのフレーム番号４０９５を有する信号は、時間Ｔ２１＝１５０．８７５（ｅＮＢ１のフレーム番号フォーマット中において）に到着すべきである。しかし、ネットワーク負荷は変化するので、測定された実際の到着時間は、Ｔ２１’＝１５０．５００またはＴ２１”＝１５１．１２５となる。測定結果が、異なるフレーム中にある場合、ジッターは、ｅＮＢのデータパケット伝送時間ＢＥＮｔｒａｎｓｍｉｔを特定する上での正確性にさらに影響するため、測定精度に影響を与えることになる。
【００７２】
「ジッター」問題を解決するために、５−１０回といった何回かの同期処理が、すべての同期処理で得られた伝送遅延を平均することによる結果として生じる伝送遅延を得るために、ａＧＷとｅＮＢ間で実施されうる。この方法では、「ジッター」エラーは、測定結果に散在されうる。そこで、より正確な結果が得られることになり、ジッターエラーの影響は削減されることになる。
【００７３】
「ジッター」の原因は、ａＧＷからのフレームが、ｅＮＢに到着するときに、恐らく複数のフレームに広がることにある。フレームがａＧＷからｅＮＢ間の最大伝送遅延を超えるほど長い場合、ジッターエラー問題は、完全に回避されうる。図１３は、「ジッター」エラーを回避するためにフレーム長をどのように構成するかを示す。図１３に示すように、ａＧＷとｅＮＢ間の最大伝送遅延が、１０ｍｓである場合、フレーム長は、１０ｍｓを超えるように、例えば、４０ｍｓとなるように構成される。この方法では、「ジッター」エラーは、常に１フレーム未満である。また、「ジッター」エラーは、データ伝送に本質的な影響を生じない。スーパーフレームが、長フレームの構成に適用されうる。この場合、システム同期の粒度は、スーパーフレームである。
【００７４】
上記の第１の実施形態は、外部基準クロックがない場合に同期処理を実行する方法を詳細に示している。しかしながら、本発明はまた、共通外部基準クロックがある場合にも実行されうる。
【００７５】
（第２の実施形態）
上記のように、共通の外部時間が、ａＧＷおよびｅＮＢ両者により基準クロックとして本発明において適用されうる。例えば、ｅＮＢおよびａＧＷは、ＧＰＳシステム、またはガリレオシステムのような共通外部基準クロック源を有する。そこで、ｅＮＢおよびａＧＷは、外部基準クロックシステムに同期する。
【００７６】
図１４は、第２の実施形態のネットワーク構造を示す。図１４に示すように、ＧＰＳ衛星またはガリレオ衛星のような衛星ＳＴＬＴは、ｅＮＢ１およびｅＮＢ２（関連する衛星受信機と接続されている）並びにａＧＷに統一された時間基準を提供する。
【００７７】
図１５は、第２の実施形態によるａＧＷのブロック図を示す。図１６は、第２の実施形態によるｅＮＢのブロック図を示す。
【００７８】
図１５に示すように、第２の実施形態中のａＧＷは、マルチメディア放送およびマルチキャストセンターから送信されたＭＢＭＳデータパケットをバッファリングするゲートウェイバッファー３１０、ゲートウェイ全体の動作を制御するゲートウェイ制御装置３２０、データパケットおよび信号をＵＥに送信し、またＵＥから信号を受信するゲートウェイ通信ユニット３３０、ａＧＷのシステムタイマーとして作動するゲートウェイフレーム番号カウンター３５０、通信ユニットによりＵＥから受信した信号に従って伝送遅延および伝送時間を計算する計算ユニット３４０、並びに外部基準クロック３６０、例えば、ＧＰＳ受信機またはガリレオシステム受信機を含む。
【００７９】
図１６に示すように、第２の実施形態によるｅＮＢ１は、ａＧＷとの通信に責任がある通信ユニット４１０、ａＧＷから送信されるＭＢＭＳデータパケットをバッファリングするｅＮＢバッファー４２０、ｅＮＢ１全体を制御するｅＮＢ制御装置４３０、ＭＢＭＳデータパケットの伝送時間をａＧＷから送信されたマッピング関係に従ってＢＦＮフォーマット中の実時間に変換する変換ユニット４５０、ｅＮＢフレーム番号カウンター４７０、受信ＭＢＭＳデータパケットに対するセグメンテーション、フレーム構築および変調のような動作を実施するデータ処理ユニット４４０、データ処理ユニット４４０中で処理されたデータパケットをＵＥに対して変換ユニット４５０を通じて得られた伝送時間に従って送信する伝送ユニット４６０、並びに外部基準クロック４８０、例えば、ＧＰＳ受信機またはガリレオシステム受信機を含む。ｅＮＢ２は、ｅＮＢ１と同一の構造を有する。ここでは、詳細な説明は行わない。
【００８０】
図１７は、外部共通基準クロックがある場合のＡＦＮとＢＦＮ−ｉ間の関係を示す。図１７に示すように、ａＧＷおよびｅＮＢはそれぞれ、これらの独自のフレーム番号カウンター、すなわち、ａＧＷのＡＦＮ並びにｅＮＢのＢＦＮ−１およびＢＦＮ−２を有する。これらのフレーム番号カウンターは、独立に動作するが、これらは、同一の共通のＧＰＳまたはガリレオシステムクロック基準を共用する。また、これらは、ＳＦＮ領域中のこれらのフレームタイミング境界上に同一のものに正確に整合される。共通のＧＰＳまたはガリレオシステムクロック基準に関連したフレーム番号オフセットＡＦＮｏｆｆｓｅｔおよびＢＦＮｏｆｆｓｅｔｉが、ａＧＷおよびｅＮＢに知られている。
【００８１】
この場合、ＡＦＮとＢＦＮ間のマッピング関係は、固定され、かつＡＦＮｏｆｆｓｅｔおよびＢＦＮｏｆｆｓｅｔｉに従って正確に生成されうる。ここで、図６中のステップおよび図１８中の例示を参照して第２の実施形態中の同期処理に取り掛かろう。
【００８２】
図１８は、共通の基準クロックがある場合のａＧＷとｅＮＢ間の同期を示す。
【００８３】
図１８に示すように、まず最初に、ゲートウェイ制御装置３２０は、ダウンリンクノード同期信号（例えば、ダウンリンクノード同期制御フレーム）をＳＦＮ領域中のｅＮＢにゲートウェイ通信ユニット３３０を通じて送信し、ｅＮＢと同期することを要求する。ゲートウェイ制御装置３２０は、ａＧＷのフレーム番号カウンター１５０中の現在のフレーム番号をダウンリンクノード同期信号に含まれる送信時間Ｔ１として記録する。次いで、各ｅＮＢは、ダウンリンクノード同期信号をｅＮＢの通信ユニット４１０によって受信し、かつダウンリンクノード同期信号の受信のために、ｅＮＢのフレーム番号カウンター４７０中の現在のフレーム番号を時間Ｔ２ｉとして記録する。ここで、各ｅＮＢは、少なくとも、対応するｅＮＢがダウンリンク同期信号を受信した時間Ｔ２ｉおよびＢＦＮｏｆｆｓｅｔｉ（ｅＮＢのフレーム番号のフォーマット中にある）並びに対応するｅＮＢがアップリンクノード同期信号を送信した時間Ｔ３ｉを含む、あるいは、図１８に示すような送信時間Ｔ１を含む、ａＧＷに対するアップリンクノード同期信号制御フレームのようなアップリンクノード同期信号で応答する。
【００８４】
この場合、アップリンク伝送遅延が、ダウンリンク伝送遅延と同一であることは仮定されない。ＡＦＮとＢＦＮ間のマッピング関係Δｉは、次式で直接計算され、
Δｉ＝Ｒｏｕｎｄ（（ＡＦＮｏｆｆｓｅｔ−ＢＦＮｏｆｆｓｅｔｉ）ｍｏｄ４０９６）      −−−（８）
かつａＧＷとｅＮＢ間の伝送遅延ＴＤｉは、次式で計算されうる。
ＴＤｉ＝Ｃｅｉｌ［（（（Ｔ２ｉ＋ＢＦＮｏｆｆｓｅｔｉ）ｍｏｄ４０９６）−（（Ｔ１＋ＡＦＮｏｆｆｓｅｔ）ｍｏｄ４０９６））ｍｏｄ４０９６］  −−−（９）
ここで、Ｒｏｕｎｄは丸め関数を意味し、またＣｅｉｌは、整数への切り上げ関数を意味する。また、受信した時間並びに式（８）および（９）に従って、計算ユニット１４０は、マッピング関係Δｉおよび伝送遅延ＴＤｉを計算する。
【００８５】
ここで、図１８に示される具体的なデータの助けを借りて、さらに同期時間情報を得る方法を説明するために実施例としてａＧＷおよびｅＮＢ１中に存在する関係および伝送遅延を取りあげる。
【００８６】
ａＧＷが共通基準ＧＰＳまたはガリレオシステムクロックに関連しているＡＦＮフレーム番号オフセットＡＦＮｏｆｆｓｅｔは、４０９２である。また、ｅＮＢ１が共通基準ＧＰＳまたはガリレオシステムクロックに関連しているＢＦＮフレーム番号オフセットＢＦＮｏｆｆｓｅｔ１は、３９４２である。
【００８７】
ａＧＷは、ダウンリンクノード同期信号をｅＮＢ１にａＧＷのフレーム番号カウンター３５０中の現在のフレーム番号において、すなわち、時間Ｔ１＝４０９４において、現在時間Ｔ１を記録し、かつダウンリンクノード同期信号に含めて、送信する。事実、第２の実施形態では、ａＧＷがダウンリンクノード同期信号をｅＮＢに送信するという条件で、これは、同期要求が送信されたことを示す。また、同期要求が送信された時間Ｔ１を同期要求中に含む必要はない。
【００８８】
次いで、ｅＮＢ１は、ダウンリンクノード同期信号をｅＮＢのフレーム番号カウンター４７０中の現在のフレーム番号、すなわち、時間Ｔ２ｉ＝１４９．８７５において受信する。ここで、ｅＮＢは、少なくとも、ｅＮＢ１が、ダウンリンクノード同期信号を受信した時間Ｔ２１および共通基準ＧＰＳまたはガリレオシステムクロックに関連したｅＮＢ１のＢＦＮフレーム番号オフセットＢＦＮｏｆｆｓｅｔ１を含む、アップリンクノード同期信号をＢＦＮの現在フレーム番号において、すなわち、時間Ｔ３１＝１５１．１２５において、送信する。無論、アップリンクノード同期信号はまた、ａＧＷの送信時間Ｔ１およびｅＮＢ１がアップリンクノード同期信号を送信する時間Ｔ３１を含むことができる。
【００８９】
次に、ａＧＷは、少なくともＴ２１およびＢＦＮｏｆｆｓｅｔ１を得るために、アップリンクノード同期信号をａＧＷのフレーム番号カウンター３５０中の現在のフレーム番号において、すなわち、時間Ｔ４１において、受信する。
【００９０】
次いで、記録されたまたはアップリンクノード同期信号に含まれたＴ１と、Ｔ２１について得られた情報並びにＡＦＮｏｆｆｓｅｔおよびＢＦＮｏｆｆｓｅｔ１に従って、計算ユニット３４０は、ＡＦＮとｅＮＢ１のＢＦＮ間のマッピング関係を次式で計算することができる。
Δ１＝Ｒｏｕｎｄ（（ＡＦＮｏｆｆｓｅｔ−ＢＦＮｏｆｆｓｅｔ１）ｍｏｄ４０９６）＝１５０
【００９１】
従って、
ＢＦＮ−１＝（ＡＦＮ＋１５０）ｍｏｄ４０９６
また、この経路中のａＧＷとｅＮＢ１間の伝送遅延は、
ＴＤ１＝Ｃｅｉｌ［（（（Ｔ２１＋ＢＦＮｏｆｆｓｅｔ１）ｍｏｄ４０９６）−（（Ｔ１＋ＡＦＮｏｆｆｓｅｔ）ｍｏｄ４０９６））ｍｏｄ４０９６］＝２
【００９２】
この方法で、ａＧＷとｅＮＢ間のマッピング関係Δｉおよび伝送遅延ＴＤｉを得る。
【００９３】
マッピング関係Δｉおよび伝送遅延ＴＤｉを得た後のステップは、第１の実施形態中のものとまさに同一である。ここでは、詳細は与えられない。
【００９４】
従って、同期処理の機構は、３ＧＰＰ  ｌｏｎｇ−ｔｅｒｍ  ｅｖｏｌｖｅ  ＥＭＢＭＳ中の３つの態様でのＲＦ合成に対して、本発明、中国特許出願公開第２００６１００２９８６３．７号明細書（名称：Ｍｅｔｈｏｄ  ａｎｄ  Ｄｅｖｉｃｅ  ｆｏｒ  Ｓｙｎｃｈｒｏｎｉｚａｔｉｏｎ  ｂｅｔｗｅｅｎ  Ｎｅｔｗｏｒｋ  Ｄｅｖｉｃｅｓ  ｉｎ  Ｒａｄｉｏ  ｃｏｍｍｕｎｉｃａｔｉｏｎ  ｓｙｓｔｅｍ、２００６年８月９日出願）、および中国特許出願公開第２００６１００２８１０９．１号明細書（名称：Ｍｅｔｈｏｄ  ａｎｄ  Ｄｅｖｉｃｅ  ｆｏｒ  Ｒｅｓｏｕｒｃｅ  Ｓｃｈｅｄｕｌｉｎｇ  ｆｏｒ  Ｂｒｏａｄｃａｓｔ  ａｎｄ  Ｍｕｌｔｉｃａｓｔ  ｉｎ  Ｒａｄｉｏ  Ａｃｃｅｓｓ  Ｎｅｔｗｏｒｋ、２００６年６月２３日出願）  の中でそれぞれ説明されている。同期処理の機構によって、ＬＴＥ  ＭＢＭＳデータパケットについてのＲＦ合成における問題がＵＥに対して解決されている。
【００９５】
図１９は、ＬＴＥにおけるＲＦ合成に対して要求される３層同期構造を示す。
【００９６】
図１９に示すように、ＳＦＮ領域におけるＭＢＭＳ  ＲＦ合成をサポートする詳細な階層化同期構造は、以下のとおりである。
【００９７】
物理レイヤフレームタイミング同期
この同期は、図１９の左側の楕円により示されるような、物理レイヤフレームタイミングの同期を保証するように、ＳＦＮ領域中のすべてのｅＮＢの物理レイヤフレームタイミングが、フレーム境界上に同一のものに整合されることを要求する。この要件は、レイヤ１物理フレームタイミング同期に対してマイクロ秒のレベルの精度で行われる（中国特許出願公開第２００６１００２９８６３．７号明細書を参照されたい）。
【００９８】
Ｌ２コンテンツ送信同期
この同期は、一貫性のあるコンテンツを有するＭＢＭＳサービスデータが、ＳＦＮ領域中の各ｅＮＢにより無線フレームの形で同時に送信されることを要求する。すなわち、第１および第２の実施形態で説明したように、同期は、ａＧＷとｅＮＢ間でまず実行されて、ＭＢＭＳデータパケットに対する送信時間を特定する。次いで、ＭＢＭＳデータパケットは、ａＧＷからｅＮＢにＩＰパケットの形で送信される。また、これらは、無線フレームの形で特定された送信時間ＢＦＮｔｒａｎｓｍｉｔにおいてＵＥに送信される（図１９の中央の楕円を見よ）。この方法では、時間内の一貫性のあるコンテンツのデータのＲＦ合成が、ＵＥにおいて保証されうる。
【００９９】
Ｌ３サービススケジューリング同期
無線インタフェースのＲＦ合成が、物理的資源ブロックに対して考慮される。このことは、同一のＭＢＭＳサービスデータが、図１９の最も右側の楕円により示されるように、一貫した時間周波数資源を通じてＳＦＮ領域中の異なるｅＮＢによって送信されることを要求する。すなわち、異なるｅＮＢにおいて、各スケジューリング周期におけるＭＢＭＳサービスの送信に対する物理的資源ブロックパターンは、一貫していなければならない。図１９に示すように、ＭＢＭＳサービス１−４は、それぞれ対応する時間周波数資源に従って送信される（中国特許出願公開第２００６１００２８１０９．１号明細書参照）。
【０１００】
上記の説明は、本発明の実施形態に対してのみ適している。当業者は、本発明の範囲内のすべての修正または部分的置換が、本発明の特許請求の範囲内に限定されることを理解するべきである。従って、特許請求の範囲により限定される保護範囲は、本発明の一部である。
【図１】
2010502057.tif 000003
【図２】
2010502057.tif 000004
【図３】
2010502057.tif 000005
【図４】
2010502057.tif 000006
【図５】
2010502057.tif 000007
【図６】
2010502057.tif 000008
【図７】
2010502057.tif 000009
【図８】
2010502057.tif 000010
【図９】
2010502057.tif 000011
【図１０】
2010502057.tif 000012
【図１１】
2010502057.tif 000013
【図１２】
2010502057.tif 000014
【図１３】
2010502057.tif 000015
【図１４】
2010502057.tif 000016
【図１５】
2010502057.tif 000017
【図１６】
2010502057.tif 000018
【図１７】
2010502057.tif 000019
【図１８】
2010502057.tif 000020
【図１９】
2010502057.tif 000021
【国際調査報告】
2010502057.tif 000022
2010502057.tif 000023
2010502057.tif 000024
2010502057.tif 000025
2010502057.tif 000026
2010502057.tif 000027
2010502057.tif 000028